(57)【要約】      （修正有）【課題】番組のある場面に対してユーザより入力されたメッセージを元に、番組内の場面を検索するための情報を生成する。【解決手段】ネットワークを介して接続される、映像情報を記録し再生する記録再生装置と、電子掲示板を提供するサーバとを含むコンテンツ視聴システムにおいて、入力部より入力されたメッセージをログとして登録するデータベースと、データベースを検索して、目的のメッセージを抽出する検索機構と、検索機構により検索してデータベースから得られるログを解析して、映像情報の場面に関連付けられる注目度を表す注目度情報又は場面に関連付けられるキーワード情報を生成する抽出機構と、を有するコンテンツ視聴システムである。例えば、抽出機構により生成された注目度情報及び又はキーワード情報に関する映像情報を選択して、選択された情報をダイジェストとして記憶部に記憶する。【選択図】図２
2006190019.tif 000002
【特許請求の範囲】
【請求項１】
ネットワークを介して接続される、映像情報を記録し再生する記録再生装置と、電子掲示板を提供するサーバとを含むコンテンツ視聴システムにおいて、
少なくとも映像情報を記録する記憶部と、映像情報を再生する再生部と、該再生部で再生された映像情報を表示する表示部と、
映像に関するユーザのメッセージを入力する入力部と、
該サーバに含まれ、該入力部より入力されたメッセージをログとして登録するデータベースと、
該データベースを検索して、目的のメッセージを抽出する検索機構と、
該検索機構により検索して該データベースから得られるログを解析して、該映像情報の場面に関連付けられる注目度を表す注目度情報又は該場面に関連付けられるキーワード情報を生成する抽出機構と、
を有することを特徴とするコンテンツ視聴システム。
【請求項２】
該抽出機構により生成された該注目度情報及び又は該キーワード情報に関する映像情報を選択して、該選択された情報をダイジェストとして該記憶部に記憶することを特徴とする請求項１のコンテンツ視聴システム。
【請求項３】
前記記録再生装置は、該記憶部と、再生部と、該表示部と、該入力部と、該抽出機構とを有し、
前記サーバは、該データベースと、該検索機構とを有し、
更に、該ネットワークを介して該サーバの該電子掲示板に接続でき、少なくとも、該入力部と、該表示部と、該データベースに登録された該ログを取得するログ取得機構を有する掲示板端末を含むことを特徴とする請求項１又は２のコンテンツ視聴システム。
【請求項４】
前記記録再生装置は、更に、
映像情報を録画する録画部と、
指定した放送局の放送を受信し、受信した映像信号を該再生部及び該録画に送るチューナー部と、
ＤＶＤから映像情報を読み出し、読み出した映像情報を映像信号として該再生部に送るＤＶＤ部と、
該再生部より出力される再生場面情報を該検索機構へ送り、該検索機構より取得されたログを該表示部へ出力するログ取得機構と、
該抽出機構より出力されるキーワード情報及び注目度情報を記憶し、該入力部を介してユーザにより指定された検索条件に該当するキーワード情報及び注目度情報を抽出するキーワード・注目度情報検索機構と、
該抽出機構からキーワード情報及び注目度情報を取得し、設定されたダイジェスト生成条件に該当する録画番組の時刻区間を再生するように再生部を制御するダイジェスト生成機構と、を有し、
該入力部は、ユーザにより入力されたメッセージと該再生部から送られる放送局及び放送時刻の情報を該ログのために出力し、
該表示部は、該再生部より出力される映像信号、及び取得された該ログを表示し、
該再生部は、該チューナー部と該ＤＶＤ部と該記憶部より出力される情報の１つを選択し、選択された映像信号を該表示部へ送り、出力されている映像信号の場面を特定するための情報である再生場面情報を該入力部及び該ログ取得機構へ送り、
該記憶部は、録画番組の映像信号と録画時刻を記憶し、また選択された記憶中の映像信号を該再生部へ出力する、
ことを特徴とする請求項１乃至３のいずれか記載のコンテンツ視聴システム。
【請求項５】
前記記録再生装置は、該記憶部と、再生部と、該表示部と、該入力部とを有し、
前記サーバは、該データベースと、該検索機構と、該抽出機構とを有し、
更に、該ネットワークを介して該サーバに接続して該電子掲示板を参照でき、少なくとも、該入力部と、該表示部と、該データベースに登録された該ログを取得するログ取得機構を有する掲示板端末を含むことを特徴とする請求項１又は２のコンテンツ視聴システム。
【請求項６】
該抽出機構、該ログ取得機構、該キーワード・注目度情報検索機構、及び該ダイジェスト生成機構は、プログラムの実行によって実現される機能であって、該記録再生装置は、該プログラムを格納するメモリと、該プログラムを実行するためのＣＰＵを備えることを特徴とする請求項１乃至５のいずれかに記載のコンテンツ視聴システム。
【請求項７】
該抽出機構は、録画番組が放送された放送局と放送時刻を指定して、該データベースより得られたログからある時間区間毎におけるメッセージの登録数を求め、該時間区間における注目度情報を求めることを特徴とする請求項１乃至６のいずれかに記載のコンテンツ視聴システム。
【請求項８】
該抽出機構は、ある時間区間において使用される単語のうち一定割合以上を占める単語を該時間区間のキーワード情報として生成することを特徴とする請求項１乃至７のいずれかに記載のコンテンツ視聴システム。
【請求項９】
電子掲示板を提供するサーバに、ネットワークを介して接続される、映像情報を記録し再生する記録再生装置において、
少なくとも映像情報を記録する記憶部と、映像情報を再生する再生部と、該再生部で再生された映像情報を表示する表示部と、
映像に関するユーザのメッセージを入力する入力部と、
該入力部より入力された該メッセージを、該サーバが有するデータベースにログとして登録するために送出する送出機構と、
該サーバよりログ取得するログ取得機構と、
該ログ取得機構により取得されたログを解析して、該映像情報の場面に関連付けられる注目度を表す注目度情報又は該場面に関連付けられるキーワード情報を生成する抽出機構と、
を有することを特徴とする記録再生装置。
【請求項１０】
該抽出機構により生成された該注目度情報及び又は該キーワード情報に関する映像情報を選択して、該選択された情報をダイジェストとして該記憶部に記憶することを特徴とする請求項９の記録再生装置。
【請求項１１】
該抽出機構、及び該ログ取得機構は、プログラムの実行によって実現される機能であって、該記録再生装置は、該プログラムを格納するメモリと、該プログラムを実行するためのＣＰＵを備えることを特徴とする請求項９の記録再生装置。
【請求項１２】
電子掲示板を有するサーバを利用して映像情報を含むコンテンツに関する情報を収集するコンテンツ情報の処理方法において、
映像情報を録画部に録画するステップと、
映像情報を再生部に再生するステップと、
少なくとも映像情報を記憶部に記録するステップと、
該再生部で再生された映像情報を表示部に表示するステップと、
該表示部に表示される映像に関するユーザのメッセージを入力部より入力するステップと、
該入力されたメッセージをログとしてデータベースに登録するログ登録ステップと、
該データベースを検索して、目的のメッセージを抽出する検索ステップと、
該検索により該データベースから得られるログを解析して、該映像情報の場面に関連付けられる注目度を表す注目度情報又は該場面に関連付けられるキーワード情報を生成するステップと、
を有することを特徴とするコンテンツ情報の処理方法。
【請求項１３】
該生成された該注目度情報及び又は該キーワード情報に関する映像情報を選択して、該選択された情報をダイジェストとして該記憶部に記憶するステップを更に有することを特徴とする請求項１２のコンテンツ情報の処理方法。
【請求項１４】
更に、指定した放送局の放送をチューナーで受信し、受信した映像信号を再生及び録画のために送るステップと、
ＤＶＤから映像情報を読み出し、読み出した映像情報を映像信号として再生のために送るステップと、
該再生された再生場面情報に関連した該ログを該データベースから取得するステップと、
該生成されたキーワード情報及び注目度情報を記憶し、ユーザにより指定された検索条件に該当するキーワード情報及び注目度情報を抽出するステップと、
生成されたキーワード情報及び注目度情報に関連して、設定されたダイジェスト生成条件に該当する録画番組の時刻区間を再生するステップと、を有し、かつ、
該再生部は、該チューナーと該ＤＶＤと該記憶部より出力される情報の１つを選択し、選択された映像信号を該表示部へ送り、出力されている映像信号の場面を特定するための情報である再生場面情報を該入力部及び該ログ取得へ送り、
該記憶部は、録画番組の映像信号と録画時刻を記憶し、また選択された記憶中の映像信号を該再生部へ出力することを特徴とする請求項１２のコンテンツ情報の処理方法。
【請求項１５】
録画番組が放送された放送局と放送時刻を指定して、該データベースより得られたログからある時間区間毎におけるメッセージの登録数を求め、該時間区間における注目度情報を求めることを特徴とする請求項１２乃至１４のいずれかに記載のコンテンツ情報の処理方法。
【請求項１６】
ある時間区間において使用される単語のうち一定割合以上を占める単語を該時間区間のキーワード情報として生成することを特徴とする請求項１２乃至１５のいずれかに記載のコンテンツ情報の処理方法。
【請求項１７】
請求項１２乃至１６のいずれかに記載のコンテンツ情報の処理方法を実施するためのコンピュータ上で実行可能なプログラム。
【発明の詳細な説明】
【技術分野】
【０００１】
本発明はコンテンツ視聴システムに関し、特に録画再生機能を持つＡＶ機器が電子掲示板を有するサーバを利用してコンテンツに関する情報を収集するコンテンツ視聴システム及び方法に関する。
【背景技術】
【０００２】
放送の多チャンネル化に伴い録画できる番組の選択肢が増え、ユーザは、放送される番組の中から任意の番組を選択して、ハードディスクレコーダ等のような録画装置に記録することができるようにようになった。
ユーザは、放送される番組の中から時間帯に応じて種々の番組を任意、頻繁に選択することができるが、その操作が煩雑になっている。また、録画装置における記憶メディアの大容量化により、録画装置内に多数の録画番組を蓄えられるようになるに従い、ユーザが録画番組の中から所望の番組を見つけ出すことが困難になるということもある。
【０００３】
これらの問題を解決する方法として、電子番組表(ＥＰＧ：Electric ProgＲＡＭ Guide)により提供される番組情報を利用した、録画する番組の自動決定や、録画番組の分類、検索を行う方法がある。電子番組表は、番組全体の概要情報を提供するものであるため、番組内の各シーンの情報を知ることはできない。
【０００４】
この一策として、特許文献１（特開２００３−１７４６０９号公報）には、インターネット上の所定のサイトが配信する野球中継データ中の得点表示の数字が変化したときを得点シーンとして検出し、その場面を含む映像を録画することにより、番組の要約を生成することができる技術が開示されている。
【０００５】
【特許文献１】特開２００３−１７４６０９号公報
【発明の開示】
【発明が解決しようとする課題】
【０００６】
上記の従来技術では、野球の得点シーンのように予め決められた場面の検出を行うことはできるが、視聴者の興味の対象が報道番組、クイズ番組、ドラマなど、多岐にわたる場合にその全てをカバーするのは難しいと考えられる。
【０００７】
そこで、本発明の目的は、番組のある場面に関する視聴者からのメッセージを元に、番組の場面の検索やダイジェストを作成するための情報を生成するコンテンツ視聴システム及び処理方法を提供することにある。
本発明の他の目的は、ログとして蓄積された視聴者のメッセージを利用して、番組の場面の検索やダイジェストの作成のために使用される、有意義なキーワード情報及び注目度情報を生成することにある。
【課題を解決するための手段】
【０００８】
本発明は、ネットワークを介して接続される、映像情報を記録し再生する記録再生装置と、電子掲示板を提供するサーバとを含むコンテンツ視聴システムにおいて、少なくとも映像情報を記録する記憶部と、映像情報を再生する再生部と、再生部で再生された映像情報を表示する表示部と、映像に関するユーザのメッセージを入力する入力部と、サーバに含まれ、入力部より入力されたメッセージをログとして登録するデータベースと、データベースを検索して、目的のメッセージを抽出する検索機構と、検索機構により検索してデータベースから得られるログを解析して、映像情報の場面に関連付けられる注目度を表す注目度情報又は場面に関連付けられるキーワード情報を生成する抽出機構とを有するコンテンツ視聴システムである。
好ましい例では、抽出機構により生成された注目度情報及び又はキーワード情報に関する映像情報を選択して、選択された情報をダイジェストとして記憶部に記憶する。
好ましい例では、上記記録再生装置は、記憶部と、再生部と、表示部と、入力部と、抽出機構とを有し、上記サーバは、データベースと、検索機構とを有し、更に、ネットワークを介してサーバの電子掲示板に接続でき、少なくとも、入力部と、表示部と、データベースに登録されたログを取得するログ取得機構を有する掲示板端末を含むコンテンツ視聴システムである。
【０００９】
好ましい例では、前記記録再生装置は、更に、映像情報を録画する録画部と、指定した放送局の放送を受信し、受信した映像信号を再生部及び録画に送るチューナー部と、ＤＶＤから映像情報を読み出し、読み出した映像情報を映像信号として再生部に送るＤＶＤ部と、再生部より出力される再生場面情報を検索機構へ送り、検索機構より取得されたログを表示部へ出力するログ取得機構と、抽出機構より出力されるキーワード情報及び注目度情報を記憶し、入力部を介してユーザにより指定された検索条件に当するキーワード情報及び注目度情報を抽出するキーワード・注目度情報検索機構と、抽出機構からキーワード情報及び注目度情報を取得し、設定されたダイジェスト生成条件に当する録画番組の時刻区間を再生するように再生部を制御するダイジェスト生成機構と、を有し、
入力部は、ユーザにより入力されたメッセージと再生部から送られる放送局及び放送時刻の情報をログのために出力し、表示部は、再生部より出力される映像信号、及び取得されたログを表示し、再生部は、チューナー部とＤＶＤ部と記憶部より出力される情報の１つを選択し、選択された映像信号を表示部へ送り、出力されている映像信号の場面を特定するための情報である再生場面情報を入力部及びログ取得機構へ送り、記憶部は、録画番組の映像信号と録画時刻を記憶し、また選択された記憶中の映像信号を再生部へ出力する、コンテンツ視聴システムである。
また、一例では、前記記録再生装置は、記憶部と、再生部と、表示部と、入力部とを有し、前記サーバは、データベースと、検索機構と、抽出機構とを有し、更に、ネットワークを介してサーバに接続して電子掲示板を参照でき、少なくとも、入力部と、表示部と、データベースに登録されたログを取得するログ取得機構を有する掲示板端末を含む。
好ましい例では、上記抽出機構、ログ取得機構、キーワード・注目度情報検索機構、及びダイジェスト生成機構は、プログラムの実行によって実現される機能であって、記録再生装置は、プログラムを格納するメモリと、プログラムを実行するためのＣＰＵを備える。
また、抽出機構は、録画番組が放送された放送局と放送時刻を指定して、データベースより得られたログからある時間区間毎におけるメッセージの登録数を求め、時間区間における注目度情報を求める。
また、好ましくは、抽出機構は、ある時間区間において使用される単語のうち一定割合以上を占める単語を時間区間のキーワード情報として生成する。
【００１０】
また、本発明は、電子掲示板を提供するサーバに、ネットワークを介して接続される、映像情報を記録し再生する記録再生装置としても把握される。即ち、この記録再生装置は、少なくとも映像情報を記録する記憶部と、映像情報を再生する再生部と、再生部で再生された映像情報を表示する表示部と、映像に関するユーザのメッセージを入力する入力部と、入力部より入力されたメッセージを、サーバが有するデータベースにログとして登録するために送出する送出機構と、サーバよりログ取得するログ取得機構と、ログ取得機構により取得されたログを解析して、映像情報の場面に関連付けられる注目度を表す注目度情報又は場面に関連付けられるキーワード情報を生成する抽出機構と、を有する。
【００１１】
また、本発明は、電子掲示板を有するサーバを利用して映像情報を含むコンテンツに関する情報を収集するコンテンツ情報の処理方法としても把握される。即ち、コンテンツ情報の処理方法において、映像情報を録画部に録画するステップと、映像情報を再生部に再生するステップと、少なくとも映像情報を記憶部に記録するステップと、再生部で再生された映像情報を表示部に表示するステップと、表示部に表示される映像に関するユーザのメッセージを入力部より入力するステップと、入力されたメッセージをログとしてデータベースに登録するログ登録ステップと、データベースを検索して、目的のメッセージを抽出する検索ステップと、検索によりデータベースから得られるログを解析して、映像情報の場面に関連付けられる注目度を表す注目度情報又は場面に関連付けられるキーワード情報を生成するステップと、を有する。
本発明は、また、上記コンテンツ情報の処理方法を実施するためのコンピュータ上で実行可能なプログラムとしても把握される。
【発明の効果】
【００１２】
本発明によれば、番組の視聴者が電子掲示板サーバに登録した感想等の情報のログから求めた番組内の場面の注目度とキーワードの情報を使用して、番組内の場面の検索やダイジェストの作成を行うことができる。
【発明を実施するための最良の形態】
【００１３】
以下、図面を参照して本発明の実施例について説明する。
（実施例１）
・システム構成
図１は、一実施例におけるコンテンツ視聴システムの構成例を示す。
コンテンツ視聴システム１００は、ネットワーク１０１に接続された、電子掲示板サーバ３００と、記録再生装置２００又は電子掲示板端末４００を備えたデジタル情報機器１０２〜１０５を有して構成される。即ち、デジタル情報機器としての携帯電話１０２及びテレビ１０４は電子掲示板端末４００を備える。またＰＣ１０３及びビデオレコーダ１０５は記録再生装置２００を備える。
【００１４】
記録再生装置２００は、例えばハードディスクレコーダのような装置であり、番組を記録し、かつ録画番組を再生する機能と有する。記録再生装置２００は、また電子掲示板サーバ３００に登録するために番組についての感想情報を入力する機能を有する。同様に、電子掲示板端末４００も番組の感想情報を入力して電子掲示板サーバ３００に登録する機能を有する。
電子掲示板端末４００は、記録再生装置２００と同様な構成要素を有してもよいが、それに限らず、例えば実施例３に示すように、単純な構成であってもよい。
【００１５】
電子掲示板サーバ３００は電子掲示板端末４００および記録再生装置２００からの感想情報を含む種々の情報を記憶し、管理する。ここで、感想情報とは、番組に関するユーザの感想やコメント、チャット等を含むメッセージである。この感想情報の取扱いについては後述する。
電子掲示板端末４００、およびある記録再生装置２００（例えばＰＣ１０３に組み込まれた）は、他の記録再生装置２００（例えばビデオレコーダ１０５に組み込まれた）から再生場面情報１０１０（図６）を取得し、再生場面に関連した感想を電子掲示板サーバ３００に登録することができる。
【００１６】
・機能ブロック構成の説明
図２は、一実施例におけるコンテンツ視聴システム１００の機能ブロック図であり、とりわけ記録再生装置２００と電子掲示板サーバ３００の構成を詳細に示す。
記録再生装置２００は、感想入力ユーザインターフェース２０１と、感想入力機構２０２と、表示機構２０３と、再生部２０４と、チューナー部２０５と、ＤＶＤ部２０６と、ＨＤＤ部２０７と、再生制御ユーザインターフェース２０８と、ログ取得機構２０９と、キーワード・注目度抽出機構２１０と、検索ユーザインターフェース２１１と、検索機構２１２と、電子番組欄取得機構２１３で構成される。また、電子掲示板サーバ３００は、感想記録機構３０１と、ログデータベース（ログＤＢと略す）３０２と、ログ検索機構３０３で構成される。
【００１７】
感想入力ユーザインターフェース２０１は、文字入力或いは音声入力として実現されるインターフェースであり、ユーザより入力された感想情報を感想入力機構２０２へ送る。感想入力機構２０２は、感想入力ユーザインターフェース２０１から送られる感想情報と再生部２０４が出力した放送局と放送時刻の情報を、感想記録機構３０１へ出力する。表示部２０３は、再生部２０４から出力される映像信号や、ログ取得機構２０９から出力されるログ情報を表示する。
【００１８】
再生部２０４は、チューナー部２０５とＤＶＤ部２０６とＨＤＤ部２０７から出力される映像信号の１つを選択し、選択した映像信号を表示部２０３へ送る。さらに再生場面情報１０１０を感想入力機構２０２とログ取得機構２０９へ出力する。再生場面情報１０１０（図６（Ａ））は、再生部２０４が出力している映像信号の場面を特定するための情報であり、選択された映像信号がチューナー部２０５の出力する映像信号の場合には現時刻の情報を含み、ＤＶＤ部２０６が出力する映像信号の場合には出力中の場面の再生時刻の情報を含み、ＨＤＤ部２０７が出力する録画番組の映像信号を選択している場合には出力中の場面に関する放送時刻の情報を含む。再生時刻とは、映像情報の先頭を時刻０としたときの相対的な時刻である。放送時刻とは、録画番組の各場面が放送された時刻である。以下、再生部２０４で選択する３つの映像信号を区別する必要がない場合は、単に番組と称す。
【００１９】
チューナー部２０５は、指定した放送局の放送を受信し、受信した映像信号を再生装置２０４と録画機構２１４に出力する。ＤＶＤ部２０６は、ＤＶＤから映像情報を読み出し、読み出した映像情報を映像信号として再生装置２０４に出力する。録画部２１４は、チューナー部２０５が出力する映像信号と、現在の時刻をＨＤＤ部２０７へ出力する。現在の時刻は映像信号の録画時刻として映像信号と関連してＨＤＤ部２０７に記憶される。ＨＤＤ部２０７は、録画番組の映像信号と録画時刻を記憶し、記憶した映像信号を再生装置２０４に出力する。チューナー部２０５、ＤＶＤ部２０６、ＨＤＤ部２０６が出力する映像信号は、例えばＭＰＥＧ２形式で圧縮されたデータである。この場合、再生部２０４はＭＰＥＧ２形式の圧縮データを伸張し表示機構２０３へ出力する。
【００２０】
再生制御ユーザインターフェース２０８は、ユーザからの操作を受け、再生部２０４を制御する。ログ取得機構２０９は、再生部２０４が出力する再生場面情報１０１０をログ検索機構３０３へ出力し、ログ検索機構３０３からログを取得し、取得したログを表示機構２０３へ出力する。キーワード・注目度抽出機構２１０は、ログ取得機構２０９が出力するログを受け、キーワード情報７００（図７）と注目度情報８００（図８）を生成し、検索機構２１２へ出力する。
【００２１】
検索ユーザインターフェース２１１は、検索条件入力部と、検索結果表示部で構成され、ユーザが検索条件入力部に入力した検索条件を、検索機構２１２へ出力し、検索機構２１２が出力した検索結果を検索結果表示部へ表示し、ユーザに選択された検索結果に応じて再生部２０４を制御する。検索機構２１２は、キーワード・注目度抽出機構２１０が出力するキーワード情報と注目度情報を記憶し、検索ユーザインターフェース２１１が出力する検索条件に該当するキーワード情報と注目度情報を抽出し、検索ユーザインターフェース２１１へ出力する。
【００２２】
電子番組案内取得機構２１３は、放送あるいはネットワークを介して電子番組案内を取得する。ダイジェスト生成機構２１５は、キーワード・注目度抽出機構２１０からキーワード情報と注目度情報を取得し、設定されたダイジェスト生成条件に該当する録画番組の時刻区間を再生するように再生部２０４を制御する。このとき、再生部２０４が出力する映像信号と放送時刻をＨＤＤ部２０７に記憶することにより、ダイジェスト映像をＨＤＤ部に記録することができる。
【００２３】
ここで、感想入力機構２０２、ログ取得機構２０９、ダイジェスト生成機構２１５、キーワード・注目度抽出機構２１０、検索機構２１２、電子番組案内取得機構２１３等は、プログラムで構成される。なお、表示部２０３、再生部２０４、録画部２１４、チューナー部２０５、ＤＶＤ部２０６、ＨＤＤ部２０７等もハードウェアのみで構成されるわけではなく、必要に応じて部分的にプログラムで構成される。
【００２４】
電子掲示板サーバ３００において、感想登録機構３０１は、感想入力機構２０２から感想登録要求１０２０を受け、ログＤＢ３０２へ受け取った感想登録要求１０２０（図６（Ｂ））に含まれる感想登録レコード１０２１を出力する。ログＤＢ３０２は、感想登録機構３０１より出力された感想登録レコード１０２１を受け、記憶する。またログＤＢ３０２は、ログ検索機構３０３より出力されたログ取得条件１０３１を受け、登録された感想からログ取得条件１０３１が示す条件に該当する感想を検索し、ログ１０４０としてログ検索機構３０３に出力する。
ログ検索機構３０３は、ログ取得機構２０９が出力したログ取得要求１０３０を受け、受け取ったログ取得要求１０３０が含むログ取得条件１０３１をログＤＢ３０２へ出力する。なお、ここで、感想登録機構３０１およびログ検索機構３０３はプログラムで構成される。
【００２５】
・ハードウェア構成の説明
図３は、一実施例における記録再生装置２００のハードウェア構成例を示す図である。
記録再生装置２００は、ＣＰＵ２５１と、ＲＡＭ２５２と、ＲＯＭ２５３と、入力部２５４と、ネットワークインターフェース２５５と、ＨＤＤ２５６と、映像出力部２５７と、音声出力部２５８と、これらを接続する内部バス２５９により構成される。
【００２６】
ＣＰＵ２５１は、ＲＡＭ２５２はＲＡＭ２５２にロードされたプログラムを実行し、記録再生装置２００の全体動作の制御を行う。ＲＡＭ２５２は、ＣＰＵ２５１が実行するプログラムや一時的なデータを記憶するための書き換え可能な記憶領域を提供する。ＲＯＭ２５３は、記録再生装置２００を起動するためのプログラムなどを格納する書き換え不可能な記憶領域を提供する。
入力部２５４は、マウスやキーボードなどの入力機器であり、ユーザが情報を入力をするためのインターフェースを提供する。ネットワークインターフェース２５５は、ネットワークに接続し他のネットワーク上の装置と通信を行う。
【００２７】
記録再生装置２００は、ネットワークインターフェース２５５を介してネットワークと接続する。ＨＤＤ２５６は、録画番組の映像情報や記録再生装置２００を制御するプログラムを格納するための書き換え可能な記憶領域を提供し、格納された映像情報やプログラムをＲＡＭ２５２へ出力する。映像出力部２５７は、外部モニターなどに接続されて、ＨＤＤ２５６やＲＡＭ２５２に格納された映像情報を再生して出力する。音声出力部２５８は、外部スピーカなどに接続されて、ＨＤＤ２５６やＲＡＭ２５２に格納された音声情報を再生して出力する。
【００２８】
チューナー２６０は、放送を受信し、映像情報をＲＡＭ２５２へ出力する。ＤＶＤドライブ２６１は、挿入されたＤＶＤから映像情報を読み出し、映像情報をＲＡＭ２５２へ出力する。電子掲示板サーバ３００および電子掲示板端末４００のハードウェア構成は、記録再生装置２００と同様の構成である。
【００２９】
・機能とハードウェアの対応付け
次に、図２に示したコンテンツ視聴システム１００の各機能ブロックが、図３に示したハードウェア構成でどのように実現されるかについて述べる。
各機能ブロックは、内部バス２５９、ＲＡＭ２５２、およびネットワーク１０１を使用して他の機能ブロックとデータを送信する。ネットワーク１０１を使用してデータを送信する場合は、ネットワークインターフェース２５５を介して行う。
【００３０】
感想入力ユーザインターフェース（ＵＩ）２０１、感想入力機構２０２、再生制御ユーザインターフェース２０８、ログ取得機構２０９、キーワード・注目度抽出機構２１０、検索ユーザインターフェース２１１、検索機構２１２、電子番組欄取得機構２１３等は、プログラムにより構成される。これらのプログラムは、ＨＤＤ２５６に格納されており、ＲＡＭ２５２にロードされＣＰＵ２５１にて実行される。なお、表示部２０３、再生部２０４、録画部２１４、チューナー部２０５、ＤＶＤ部２０６、ＨＤＤ部２０７等も部分的には、プログラムで構成される。
【００３１】
感想入力ユーザインターフェース２０１、再生制御ユーザインターフェース２０８、ダイジェスト生成機構２１５、検索ユーザインターフェース２１１等は、映像出力２５７を介してグラフィカルユーザインターフェースを提供し、入力部２５４を介してユーザからの入力を受ける。
表示部２０３は、再生部２０４やログ取得機構２０９の出力をＲＡＭ２５２から読み出し、映像出力２５７および音声出力２５８から映像・音声として出力する。感想入力機構２０２は、ネットワークインターフェース２５５を介して感想登録機構３０１へ感想登録要求１０２０を送信する。ログ取得機構２０９は、ネットワークインターフェース２５５を介してログ検索機構３０３からログを取得する。
【００３２】
再生部２０４は、チューナー２６０、ＤＶＤ２６１、ＨＤＤ２５６がＲＡＭ２５２へ出力した映像信号を読み出し、デコードし、ＲＡＭ２５２へ出力する。チューナー部２０５は、チューナー２６０から映像信号を読み出し、ＲＡＭ２５２へ出力するための制御を行う。ＤＶＤ部２０６は、ＤＶＤドライブ２６１から映像信号を読み出し、ＲＡＭ２５２へ出力するための制御を行う。ＨＤＤ部２０７は、ＨＤＤ２５６から映像信号を読み出し、ＲＡＭ２５２へ出力するための制御を行う。電子番組案内取得機構２１３は、チューナー２６０あるいはネットワークインターフェース２５５を介して電子番組案内を取得する。
【００３３】
電子掲示板サーバ３００において、感想登録機構３０１は、ネットワークインターフェース２５５を介して感想入力機構２０２から感想登録要求１０２０を受け取る。ログＤＢ３０２は、感想登録レコードをＨＤＤ２５６へ格納する。さらに、ログ取得条件１０３１により格納した感想登録レコードをＨＤＤ２５６から検索し、検索結果を出力する。ログ検索機構３０３は、ネットワークインターフェース２５５を介してログ取得機構２０９へログを出力する。
【００３４】
・データ構造
次に、図６を用いてコンテンツ視聴システム１００で使用されるデータ構造について説明する。
再生場面情報１０１０は、再生部２０４で再生される映像信号に関する情報を提供するためのデータであり、放送局フィールド１０１１と、放送時刻フィールド１０１２と、番組メタ情報フィールド１０１３で構成される。チューナー部で受信される放送の映像信号に対しては、放送局フィールド１０１１に、チューナー部で受信している放送局の識別子が格納され、放送時刻フィールド１０１２に、現在の時刻、例えば年月日時分秒が格納される。
【００３５】
ＤＶＤ部２０６より出力されるＤＶＤの映像信号に対しては、放送局フィールド１０１１には、ＤＶＤのタイトルに関連した識別子が格納され、放送時刻フィールド１０１２には、出力される映像信号の再生時刻が格納される。ＨＤＤ部２０７より出力される録画番組の映像信号に対しては、放送局フィールド１０１１には、録画番組を放送していた放送局の識別子が格納され、放送時刻フィールド１０１２には、出力している録画番組の映像信号の放送時刻が格納される。
【００３６】
感想登録要求１０２０は、感想入力機構２０２が感想登録機構３０１に感想情報を登録するためのデータであり、感想登録レコード１０２１を含む。感想登録レコード１０２１は、感想登録機構３０１がログＤＢ３０２に感想を登録するためのデータであり、放送局フィールド１０１１と、放送時刻フィールド１０１２と、感想フィールド１０１４で構成される。放送局フィールド１０１１と放送時刻フィールド１０１２は、再生場面情報１０１０を構成する同名のフィールドと同様である。感想フィールド１０１４には、放送局フィールド１０１１および放送時刻フィールド１０１２により示される番組の場面に対する感想が格納される。
【００３７】
ログ取得要求１０３０は、ログ取得機構２０９がログ検索機構３０３にログの取得を要求するためのデータであり、ログ取得条件１０３１を含む。ログ取得条件１０３１は、ログ検索機構３０３がログＤＢ３０２から感想情報を取得するための絞り込み条件を示すためのデータであり、放送局フィールド１０１１と、開始放送時刻フィールド１０１５と、終了放送時刻フィールド１０１６で構成される。放送局フィールド１０１１は、感想情報のログを取得する放送局の識別子が格納される。開始放送時刻フィールド１０１５には、開始放送時刻が格納される。終了放送時刻フィールド１０１６には、終了放送時刻が格納される。これにより、放送局の識別子で示される放送局の、開始放送時刻と終了放送時刻の間の場面に対する感想情報を取得することを表している。
【００３８】
ログ１０４０は、ログＤＢ３０２が感想情報を記録するためのデータであり、1つ以上の感想登録レコード１０２１で構成される。
【００３９】
・ログＤＢ３０２への登録動作
次に、図４を用いて再生中の番組の場面に関連した感想情報をログＤＢへ登録するシーケンスについて説明する。
感想入力機構２０２は、感想入力ＵＩ２０１からの感想情報の入力を待機し、感想情報が入力されたら、再生部２０４へ再生場面情報要求１０００を出力する（Ｓ１）。再生部２０４は、再生場面情報要求１０００を受け、再生場面情報１０１０を感想入力機構２０２へ出力する（Ｓ２）。
【００４０】
そして、感想入力機構２０２は再生部２０４から再生場面情報１０１０を受け、入力された感想情報と、再生場面情報１０１０の放送局フィールド１０１１の値と、放送時刻フィールド１０１２の値からなる感想登録レコード１０２１を含めて感想登録要求１０２０を作成し、この感想登録要求１０２０を感想登録機構３０１へ出力する（Ｓ３）。
【００４１】
感想登録機構３０１は、感想登録要求１０２０を受け、感想登録要求１０２０が含む感想登録レコード１０２１をログＤＢ３０２へ出力する（Ｓ４）。ログＤＢ３０２は、感想登録機構３０１から感想登録レコード１０２１を受け、記憶する。
以上により、ログＤＢ３０２へ、感想情報が登録される。
【００４２】
・ログＤＢ検索
次に、図５を用いて再生中の場面に関連する感想情報ログを取得するシーケンスを説明する。
まず、ログ取得機構２０９は、再生場面情報要求１０００を再生部２０４へ出力する（Ｓ１）。
再生部２０４は、再生場面情報要求１０００を受けると、再生場面情報１０１０をログ取得機構２０９へ出力する（Ｓ２）。
【００４３】
ログ取得機構２０９は、再生場面情報１０１０を受けると、ログ検索機構３０３へログ取得要求１０３０を出力する（Ｓ３）。ログ検索機構３０３は、ログ取得要求１０３０を受けると、ログ取得条件１０３１をログＤＢ３０２へ出力する（Ｓ４）。ログＤＢ３０２は、ログ取得条件１０３１に合ったログ１０４０を検索して抽出し、それをログ検索機構３０３へ出力する。
ログ検索機構３０３はログ１０４０を受けると、それをログ取得機構２０９へ出力する（Ｓ５）。ログ取得機構２０９はログ１０４０を受けると、表示部２０３へログを出力し、表示する。
以上により、ログ取得機構２０９はログＤＢ３０２を検索することができる。
【００４４】
・キーワード情報
次に図７を用いてキーワード情報について説明する。
キーワード情報７００は、放送局と放送時刻により特定される対象とする場面に関連付けられるキーワードを表すための情報である。キーワード情報７００は、キーワード情報テーブルを含み、キーワード情報テーブルは、放送局フィールド１０１１と、放送時刻フィールド１０１２と、継続時間フィールド１０１７と、キーワードフィールド７０１で構成されるレコードを複数持つことができる。
【００４５】
放送局フィールド１０１１には、対象とする番組を放送した放送局の識別子が格納される。放送時刻フィールド１０１２には、対象とする場面の放送された時刻が格納される。継続時間フィールド１０１７には、対象とする場面の継続時間が格納される。キーワードフィールド７０１には、放送局と放送時刻によって特定される対象とする場面に関連付けられるキーワードが格納される。
【００４６】
・注目度情報
次に図８を用いて注目度情報８００について説明する。
注目度情報８００は、放送局と放送時刻により特定される対象とする場面に関連付けられる注目度を表すための情報である。注目度情報８００は、注目度情報テーブルを含み、注目度テーブルは、放送局フィールド１０１１と、放送時刻フィールド１０１２と、継続時刻フィールド１０１７と、注目度フィールド８０１で構成されるレコードを複数持つことができる。
放送局フィールド１０１１には、対象とする番組を放送した放送局の識別子が格納される。放送時刻フィールド１０１２には、対象とする場面の放送された時刻が格納される。継続時間フィールド１０１７には、対象とする場面の継続時間が格納される。注目度フィールド８０１には、放送局と放送時刻により特定される対象とする場面に関連付けられる注目度が格納される。
【００４７】
・録画番組素材ファイル情報
次に図９を用いて、録画番組素材ファイル情報について説明する。
録画番組素材ファイル情報９００は、素材ファイルの各区間に含まれる番組の情報を示すデータである。素材ファイルとは、ＨＤＤ部２０７に格納される録画番組の映像データであり、１つ以上の区間を持ち、各区間には番組の映像データを格納することができる。録画番組素材ファイル情報９００は、ファイル名フィールド９０１と、録画番組素材ファイル情報テーブル９０２で構成される。録画番組素材ファイル情報テーブル９０２は、区間開始時刻フィールド９０３と、放送局フィールド１０１１と、放送時刻フィールド１０１２で構成される複数のレコードを持つことができる。
【００４８】
ファイル名フィールド９０１には、素材ファイルのファイル名が格納される。素材ファイル内に含まれる映像データの場面の位置は、再生時刻により特定することができる。区間開始時刻フィールド９０３には、素材ファイル内に格納されている放送局と放送時刻によって特定される番組の映像情報の開始位置が格納される。この開始位置は素材ファイルの再生時刻として表される。放送局フィールド１０１１には、対象とする番組を放送した放送局の識別子が格納される。放送時刻フィールド１０１２には、対象とする場面の放送された時刻が格納される。
【００４９】
図９の例では、ファイル名が「ｆｉｌｅ１」である素材ファイルは、３つの区間（＃１から＃３）を持ち、区間＃１は素材ファイルの再生時刻「００：００：００」から開始し、放送局「ＸＸＸ」で放送時刻「８／２５ １０：００：００」に放送された番組の映像情報が格納される。区間＃２は素材ファイルの再生時刻「００：００：２０」から開始し、放送局「ＹＹＹ」で放送時刻「８／２６ １５：３０：００」に放送された番組の映像情報が格納される。区間＃３は素材ファイルの再生時刻「００：１５：００」から開始し、放送局「ＺＺＺ」で放送時刻「８／２６ １７：１５：００」に放送された番組の映像情報が格納される。以上のことを図９の録画番組素材ファイル情報９００は示す。
【００５０】
・リンク情報
次に図１０を用いて、リンク情報９５０について説明する。
リンク情報９５０は、１つ以上の素材ファイルから場面に対して再生時刻を与え、再生時刻に従って連続的に再生するために使用するデータである。リンク情報９５０は、再生時刻フィールド９５１と、素材ファイル名フィールド９５２と、参照時刻フィールド９５３で構成される複数のレコードを持つことができる。再生時刻フィールド９５１は、素材ファイル名フィールド９５２と参照時刻９５３によって示される映像を再生する時刻を格納する。素材ファイル名フィールド９５２には、再生する映像を含む素材ファイルのファイル名が格納される。参照時刻フィールド９５３には、再生する映像の開始位置を示す素材ファイル内の再生時刻が格納される。
【００５１】
図１０の例では、リンク情報９５０は３つのリンク（＃１から＃３）を持ち、リンク＃１はファイル名が「ｆｉｌｅ１」の素材ファイルの再生時刻「００：１４：００」から始まる映像を再生時刻「００：００：００」から再生することを示す。リンク＃２はファイル名が「ｆｉｌｅ２」の素材ファイルの再生時刻「００：０３：００」から始まる映像を再生時刻「００：０５：００」から再生することを示す。リンク＃３はファイル名が「ｆｉｌｅ１」の素材ファイルの再生時刻「００：１９：００」から始まる映像を再生時刻「００：０７：００」から再生することを示す。
【００５２】
・キーワード・注目度抽出機構２１０
キーワード・注目度抽出機構２１０は、ログから、時間区間毎の注目度、あるいはキーワードを生成する。時間区間は抽出する度に再設定することが可能である。ある時間区間の注目度とは、ある時間区間における感想情報の登録数に基づく情報である。ある時間区間のキーワードとは、ある時間区間における出現頻度が、他の時間区間における出現頻度に比べ特に高い単語のことである。
【００５３】
・注目度情報８００の生成アルゴリズム
次にキーワード・注目度抽出機構２１０における注目度情報８００の生成アルゴリズムについて説明する。
注目度情報８００は、時間区間毎の注目度を格納した情報である。以下、放送時刻がTAからTA+n*TSまでの長さn*TSの録画番組のn個の時間区間TSの注目度の抽出方法について述べる。ただし、比較時間区間間隔をm*TSとする。
時間区間の開始時刻をa、終了時刻をbとしたとき、この時間区間を[a,b]と表記する。また、時間区間[a,b]における感想情報の登録数をN([a,b])と表記する。
注目度を求める時間区間TI[k]を
TI[k] = [TA+k*TS,TA+(k+1)*TS]  (k=0,1,2,…,n-1)
として、対応する比較時間区間TC[k]を
TC[k] = [TA,TA+m*TS]  (k=0,1,…,m-1)
TC[k] = [TA+(k+1-m)*TS,TA+(k+1)*TS]  (k=m,m+1,…,n-1)
としたとき、各時間区間における注目度I[k]を
I[k] = m*N(TI[k])/N(TC[k])
として求める。
注目度I[k]は、比較時間区間TC[k]に、即ち時間区間TI[k]を含む過去m*TS秒以内に登録された感想情報の数のTS秒あたりの平均に対して、時間区間TI[k]に登録された感想情報の数が何倍であるかを示している。
つまり、注目度I[k]が1より大きい時間区間は、局所的に周りの区間よりも登録された感想情報の数の多い時間区間であると言える。
【００５４】
次に、図１３を参照して注目度情報の生成処理動作について説明する。
注目度生成処理S３００は、ログ１０４０から注目度情報８００を生成する処理である。
注目度生成処理S３００開始時の注目度情報８００は空である。時間区間を示すカウンタをkとして、kを０に初期化する（S３０１）。S３０２においてkがnよりも小さい場合は、N(TI[k])を求め（S３０３）、N(TC[k])を求め（S３０４）、注目度I[k] = m*N(TC[k])/N(TC[k])を求め（S３０５）、注目度情報８００にI[k]を登録し、kを1増やし（S３０７）、S３０２から繰り返す。
S３０２においてkがn以上の場合は、注目度情報８００を出力し（S３０８）、終了する（S３０９）。
【００５５】
ユーザがある番組を視聴しながら、携帯電話１０２やテレビ１０４等の情報機器を用いて感想情報を登録する場合、ユーザにとって注目に値する場面でより多くのユーザが感想情報を登録すると仮定すると、注目度I[k]の高い時間区間は、より多くのユーザにとって注目に値する場面を含む時間区間であると判断できる。
【００５６】
この判断に基づき、録画番組の映像全体から注目度I[k]の高い時間区間、例えばI[k]>3となる時間区間、に録画された部分を抽出し連結することにより、より多くのユーザにとって注目に値する場面を含む録画番組のダイジェスト映像を提供することができる。
【００５７】
次に、図１４を参照してダイジェストの生成処理動作について説明する。
ダイジェスト生成処理S４００は、注目度情報８００と、ダイジェストとして抽出する注目度の閾値Sと、元の映像を入力して、ダイジェスト映像を生成する処理である。
まず、時間区間を示すカウンタをkとして、kを０に初期化する（S４０１）。S４０２においてkが時間区間数nよりも小さい場合は、注目度I[k]と閾値Sを比較し（S４０３）、S４０３において注目度I[k]が閾値Sよりも大きい場合は、時間区間TI[k]の映像をダイジェスト映像に追加し（S４０４）、kを１増やし（S４０５）、S４０２から繰り返す。S４０３において注目度I[k]が閾値S以下の場合は、kを１増やし（S４０５）、S４０２から繰り返す。S４０２においてkが時間区関数n以上の場合は、ダイジェスト映像を出力し（S４０６）、終了する（S４０７）。
【００５８】
以上のアルゴリズムを使用することにより、キーワード・注目度抽出機構２１０は、録画番組が放送された放送局と放送時刻を指定して、ログＤＢ３０２からログを取得し、取得したログから、各時間区間における感想情報の登録数を求め、各時間区間における注目度を求めることができる。
以上により、抽出した注目度を注目度情報８００に格納する。このとき放送局フィールド１０１１、放送時刻フィールド１０１２は、それぞれ注目度を求めた感想情報に関連する番組の放送局と放送時刻を格納する。継続時間フィールド１０１７にはTSを格納する。注目度フィールド８０１には求めた注目度I[k]を格納する。
【００５９】
・キーワード抽出アルゴリズム）
次に、図１１を参照してキーワード・注目度抽出機構２１０におけるキーワード情報７００の生成動作について説明する。
キーワード情報７００の生成動作とは、ある時間区間において使用される単語の一定割合以上を占める単語をその時間区間のキーワードとしてキーワード情報７００を生成する動作である。
辞書からＮ文字以下の名詞と形容詞の見出し語を抽出し、これを比較辞書とする。キーワード情報生成処理は、ログ１０４０と、ログ１０４０に含まれる感想情報の件数Ｎと、キーワード情報を求める時間間隔Ｍと、キーワードとする出現頻度の閾値Ｒが与えられ開始する（S１００）。Ｒの範囲は０から１である。ログ１０４０に含まれる感想情報を１から順番に番号付けし、それぞれを指定するためのカウンタをiとし、iを１に初期化する（S１０１）。
【００６０】
S１０２においてiがＮ以下の場合は、i番目の感想情報を入力し（S１０３）、キーワード候補抽出処理を行いキーワード候補リストを生成し（S１０４）、i番目の感想情報に対応させてキーワード候補リストを記憶し（S１０５）、iを１増やし（S１０６）、S１０２から繰り返す。これによりログ１０４０に含まれるすべての感想情報に対してキーワード候補リストを生成し、記憶することができる。キーワード候補抽出処理（S１０４）は、入力された感想情報からキーワード候補リストを抽出する。キーワード候補リストは、０個以上のキーワード候補の文字列を含む。
【００６１】
S１０２においてiがＮより大きい場合は、iを１に初期化し（S１０７）、次の処理に移行する。S１０８においてiがＮ以下の場合は、i番目の感想情報のキーワード候補リスト（KL1）を取得し（S１０９）、i番目の感想情報の放送時刻からＭ秒後以内の感想情報の数をＡとし（S１１０）、i番目の感想情報の放送時刻からＭ秒以内のすべての感想情報のキーワード候補リスト（KL2）を取得し（S１１１）、KL1に含まれるキーワード候補それぞれについてKL2に含まれる個数を求め、その個数がA*R以上のキーワード候補を、キーワード情報７００へ登録する（S１１２）。そして、iを１増やし（S１１３）、S１０８から繰り返す。
これにより、ある時間区間において出現頻度の閾値R以上の頻度で出現するキーワード候補を抽出することができる。尚、S１０８においてiがＮより大きい場合は、注目度情報７００を出力し（S１１４）、終了する（S１１５）。
【００６２】
次に図１２を用いて、キーワード候補の抽出処理動作について説明する。
キーワード候補抽出処理（S１０４）は、感想情報と、感想情報の文字数Ｌと、キーワード長Cを入力とし、キーワード候補リストを出力する。キーワード候補抽出処理（S１０４）開始時のキーワード候補リストは空リストである。
キーワード候補抽出処理（S１０４）を開始すると、感想情報の文字列を入力する（S２０１）。感想情報は文字列であり、文字列中の文字を指定するためのカウンタをiとし、iを１に初期化する（S２０２）。S２０３において、iがＬ以下の場合は、感想情報のi文字目からC文字抽出し、ただしC文字抽出できない場合はi文字目から感想情報の末尾までの文字列を抽出し、これを文字列Ｓとする（S２０４）。
【００６３】
次に、文字列Sを比較辞書のすべての見出し語と比較し（S２０５）、S２０６において文字列Ｓと前方一致する見出し語がある場合は、そのうち最長の見出し語をキーワード候補としてキーワード候補リストに登録する。ただし、すでにキーワード候補リストに登録された見出し語の場合は登録しない（S２０７）。見出し語を登録した場合はiに登録した文字数を加算する。見出し語を登録しない場合はiに１を加算する。
【００６４】
S２０６において文字列Ｓと前方一致する見出し語がない場合は、iに１を加算する。続いて、S２０３から処理を繰り返す。S２０３において、iがＬより大きい場合はキーワード候補リストを出力し（S２１０）、終了する（S２１１）。
尚、上記したキーワード候補抽出処理（S１０４）の代わりに、自然言語の形態素解析の手法により感想情報の文字列を単語に分解し、分解して得られた各単語をキーワードとして登録しキーワード候補リストを作成してもよい。
【００６５】
以上により、抽出したキーワードをキーワード情報７００に格納する。このとき放送局フィールド１０１１、放送時刻フィールド１０１２は、それぞれ抽出したキーワードが使用された感想情報に関連する番組の放送局と放送時刻を格納する。継続時間フィールド１０１７にはＭを格納する。キーワードフィールド７０１には抽出したキーワードを格納する。
【００６６】
・放送時刻の異なる同じ番組間での放送時刻の変換
以上の例では、放送局と放送時刻により番組を特定しているが、電子番組案内取得機構２１３が取得する電子番組案内により、異なる放送局の異なる放送時刻に放送される同じ番組を電子番組案内が提供するタイトル情報で同一番組と判断することができる。
放送時刻が異なる、同じ番組がある場合、放送開始時刻と再生中の放送時刻との差が同じであれば、同じ場面を再生していることになる。したがって、再生部２０４が出力する放送時刻は、一方の放送開始時刻と再生中の放送時刻との差を、他方の放送開始時刻に加算した時刻を出力してもよい。
また、ログ検索機構３０３は、電子番組案内が提供するタイトル情報で検索対象の番組と同一番組と判断した番組の情報を検索結果として出力してもよい。
【００６７】
次に、幾つかの他の実施例について説明する。
（実施例２）
・キーワード・注目度抽出機構２１０が電子掲示板サーバ３００にある例
第２の実施例においては、記録再生装置２００は、感想入力ユーザインターフェース２０１と、感想入力機構２０２と、表示部２０３と、再生部２０４と、チューナー部２０５と、ＤＶＤ部２０６と、ＨＤＤ部２０７と、再生制御ユーザインターフェース２０８と、ログ取得機構２０９と、検索ユーザインターフェース２１１と、検索機構２１２と、電子番組欄取得機構２１３を有して構成される。一方、電子掲示板サーバ３００は、感想記録機構３０１と、ログＤＢ部３０２と、ログ検索機構３０３、キーワード・注目度抽出機構２１０を有して構成される。
【００６８】
実施例１では、記録再生装置２００がキーワード・注目度抽出機構を持っていたが、実施例２では、電子掲示板サーバ３００がキーワード・注目度抽出機構２１０を有している。記録再生装置２００の検索機構２１２とダイジェスト生成機構２１５からの要求で電子掲示板サーバ３００のキーワード・注目度抽出機構２１０がキーワード情報７００と注目度情報８００を生成して記録再生装置２００へ出力する。ログ検索機構３０３はキーワード・注目度抽出機構２１０へログ１０４０を出力する。
【００６９】
（実施例３）
・電子掲示板端末４００
第３の実施例では、電子掲示板端末４００は、感想入力ユーザインターフェース２０１と、感想入力機構２０２と、表示部２０３と、ログ取得機構２０９で構成される。電子掲示板端末４００は、録画番組を視聴する機能は持たないが、外部の再生部２０４が出力する放送局と放送時刻の情報を受け、電子掲示板サーバ３００に感想情報と放送局と放送時刻の情報を送信し、感想情報を取得し、表示する。
【００７０】
（実施例４）
・キーワード・注目度抽出機構２１０
上記実施例では、キーワード・注目度抽出機構２１０を構成するプログラムで、キーワード情報７００及び注目度情報８００を生成しているが、この実施例によれば、キーワード情報７００と注目度情報８００をそれぞれ別々のプログラムで生成するようにしてもよい。
【００７１】
また、他の変形例として、感想情報は文字列であることを前提としたが、文字列に限らず、音声情報でもよい。また音声情報と文字列を併用してもよい。
【図面の簡単な説明】
【００７２】
【図１】一実施形態におけるコンテンツ視聴システム１００の構成例を示す図。
【図２】一実施形態におけるコンテンツ視聴システム１００の機能ブロック図。
【図３】一実施形態における記録再生装置２００のハードウェア構成例を示す図。
【図４】再生中の番組の場面に関連した感想情報をログＤＢ３０２へ登録するシーケンスを説明するための図。
【図５】再生中の場面に関連する感想ログを取得するシーケンスを説明するための図。
【図６】一実施形態におけるコンテンツ視聴システムで使用するデータ構造を説明するための図。
【図７】一実施形態におけるキーワード情報７００について説明するための図。
【図８】一実施形態における注目度情報８００について説明するための図。
【図９】一実施形態における録画番組素材ファイル情報９００について説明するための図。
【図１０】一実施形態におけるリンク情報９５０について説明するための図。
【図１１】一実施形態におけるキーワード情報７００の生成処理動作について説明するための図。
【図１２】一実施形態におけるキーワード候補の抽出処理動作について説明するための図。
【図１３】一実施形態における注目度情報８００の生成処理動作について説明するための図。
【図１４】一実施形態におけるダイジェストの生成処理動作について説明するための図。
【符号の説明】
【００７３】
１００ 視聴システム、    １０１ ネットワーク、    １０２ 携帯電話、１０３ ＰＣ、
１０４ テレビ、    １０５ ビデオレコーダ、    ２００ 再生装置、３００ 電子掲示板サーバ、
４００ 電子掲示板端末、    ２０１ 感想入力ユーザインターフェース、  ２０２ 感想入力機構、
２０３ 表示部、    ２０４ 再生部、    ２０５ チューナー部、    ２０６ ＤＶＤ部、
２０７ ＨＤＤ番組録画部、    ２０８ 再生制御ユーザインターフェース、    
２０９ ログ取得機構、    ２１０ キーワード・注目度抽出機構、  ２１１ 検索ユーザインターフェース、    ２１２ 検索機構、    ２１３ 電子番組案内取得機構、        ２１４ 録画部、    
２１５ ダイジェスト生成機構、    ２５１ ＣＰＵ、    ２５２ ＲＡＭ、    ２５３ ＲＯＭ、
２５４ 入力部、    ２５５ ネットワークインターフェース、    ２５６ ハードディスクドライブ、    ２５７ 映像出力部、    ２５８ 音声出力部、    ２５９ 内部バス、３０１ 感想記録機構、    ３０２ ログＤＢ、    ３０３ ログ検索機構、  ７００ キーワード情報、    ７０１ キーワードフィールド、    ８００ 注目度情報テーブル、    ８０１ 注目度フィールド、    ９００ 録画番組素材ファイル情報、    ９０１ ファイル名フィールド、    ９０２ 録画番組素材ファイル情報テーブル、    ９０３ 区間開始時刻フィールド、    ９５０ リンク情報、    ９５１ 再生時刻フィールド、    ９５２ 素材ファイル名フィールド、    ９５３ 参照時刻フィールド、  １０１０ 再生場面情報、１０１１ 放送局フィールド、    １０１２ 放送時刻フィールド、    １０１３ 番組メタ情報フィールド、    １０１４ 感想フィールド、    １０１５ 開始放送時刻フィールド、    １０１６ 終了放送時刻フィールド、    １０２０ 感想登録要求、        １０２１ 感想登録レコード、    １０３０ ログ取得要求、    １０３１ ログ取得条件、    １０４０ ログ、
【図１】
2006190019.tif 000003
【図２】
2006190019.tif 000004
【図３】
2006190019.tif 000005
【図４】
2006190019.tif 000006
【図５】
2006190019.tif 000007
【図６】
2006190019.tif 000008
【図７】
2006190019.tif 000009
【図８】
2006190019.tif 000010
【図９】
2006190019.tif 000011
【図１０】
2006190019.tif 000012
【図１１】
2006190019.tif 000013
【図１２】
2006190019.tif 000014
【図１３】
2006190019.tif 000015
【図１４】
2006190019.tif 000016